(57)【要約】【課題】複数タイプの光ファイバケーブルに関して共通に使用可能な構造を有する光コネクタを提供すること。【解決手段】光コネクタ１００は、光ファイバに取り付けられたフェルールを収容する収容部１１０と、抗張力部材を有するタイプの光ファイバケーブルへの取り付けの際に抗張力部材を固定されるかしめ部１２０と、テンションメンバを有するタイプの光ファイバケーブルへの取り付けの際にテンションメンバの端部が固定される部位である固定部１３０と、収容部１１０内に形成された回転止めキーとを備えている。ここで、固定部１３０は、かしめ部１２０よりも前方に位置している。このため、光ファイバケーブルを光コネクタ１００に取り付ける際の作業性の向上を図ることができる。【選択図】図１
2011075912.tif 000002
【特許請求の範囲】
【請求項１】
光ファイバとテンションメンバとを有するタイプの光ファイバケーブルにフェルールを固着した第１型光ファイバケーブルと、光ファイバと抗張力部材を有するタイプの光ファイバケーブルにフェルールを固着した第２型光ファイバケーブルとの両方のタイプの光ファイバケーブルに取り付け可能な光コネクタであって、
当該光コネクタが前記両方のタイプの前記光ファイバケーブルのいずれに取り付けられる場合においても前記フェルールが前記光コネクタの後端から前方に向けて挿入され、前記光コネクタが前記第２型光ファイバケーブルに取り付けられる場合に前記抗張力部材を当該かしめ部の外側に配した状態で前記抗張力部材をかしめるかしめ部と、
前記光コネクタが前記第１型光ファイバケーブルに取り付けられる場合に前記テンションメンバの端部が固定される部位である固定部であって、前記かしめ部よりも前方に設けられた固定部と
を有する光コネクタ。
【請求項２】
請求項１記載の光コネクタであって、
前記かしめ部には、前記固定部に対応するように形成されたニゲ溝が形成されており、
該ニゲ溝と前記固定部とは、後方から見た場合に、前記光ファイバケーブルの光軸を中心とした円座標系において同一径上に位置している
光コネクタ。
【請求項３】
請求項２記載の光コネクタであって、
前記光ファイバケーブルは、光ファイバと、前記光ファイバケーブルが当該光コネクタに取り付けられた際に該光ファイバの偏心方向の調整に用いられる複数のキー溝とを備えており、
前記光コネクタには、前記キー溝に合わせられる少なくとも一つの回転止めキーが設けられており、
前記固定部は、前記回転止めキーと前記キー溝との想定される嵌合関係に応じて選択可能となるように複数設けられており、
前記ニゲ溝も、前記固定部に対応するようにして複数設けられている
光コネクタ。
【請求項４】
請求項３記載の光コネクタであって、
前記キー溝の数は４つであり、
前記回転止めキーの数は２つであり、
当該２つの回転止めキーは、前記光コネクタにおいて、左右方向において対向するように設けられている
光コネクタ。
【請求項５】
請求項４記載の光コネクタであって、
前記ニゲ溝及び前記固定部も４つずつあり、
前記ニゲ溝は、上下方向において対向するものと左右方向において対向するものの２種類あり、
前記上下方向において対向する前記ニゲ溝は、前記光軸方向において前記かしめ部の全体に亘って延びている
光コネクタ。
【請求項６】
請求項１乃至請求項５のいずれかに記載の光コネクタであって、
前記固定部には、前記テンションメンバの前記端部を受容する受容穴であって前記光ファイバケーブルの光軸方向に沿って延びる受容穴と、前記光軸方向と直交する方向において当該固定部の外部と前記受容穴とを連通するネジ孔とが形成されており、
前記テンションメンバの前記端部が前記受容穴に受容された状態において、前記ネジ孔に対してネジを螺合することにより前記テンションメンバの前記端部を前記受容穴内にネジ止め固定する
光コネクタ。
【請求項７】
請求項６記載の光コネクタであって、
前記受容穴及び前記ネジ孔は複数組設けられており、
前記ネジ孔は、互いに平行に延びている
光コネクタ。
【請求項８】
請求項６記載の光コネクタであって、
前記受容穴及び前記ネジ孔は複数組設けられており、
前記ネジ孔は、夫々、前記光ファイバケーブルの光軸を中心とした円座標系において径方向に延びている
光コネクタ。
【請求項９】
請求項１乃至請求項８のいずれかに記載の光コネクタであって、
前記かしめ部は、後方から見た場合に、左右方向よりも上下方向に長い略長方形形状の外形を有している
光コネクタ。
【請求項１０】
請求項９記載の光コネクタであって、
前記かしめ部の上下面には、凹凸が設けられている
光コネクタ。
【請求項１１】
請求項１乃至請求項１０のいずれかに記載の光コネクタであって、前記かしめ部と前記固定部とは一体形成されている
光コネクタ。
【請求項１２】
請求項１乃至請求項１１のいずれかに記載の光コネクタと、当該光コネクタに取り付けられた前記第１型光ファイバケーブル又は前記第２型光ファイバケーブルとを備える光コネクタケーブル。
【発明の詳細な説明】
【技術分野】
【０００１】
本発明は、光ファイバケーブルとそれに取り付けられる光コネクタからなる光コネクタケーブルに関する。
【背景技術】
【０００２】
光ファイバケーブルには、大別して抗張力部材を有するタイプとテンションメンバを有するタイプとがある。これに関連して、光ファイバケーブルに取り付けられる光コネクタについても光ファイバケーブルのタイプのそれぞれに対応して異なる構成のものが用意されていた（例えば、特許文献１及び特許文献２参照）。特許文献１に開示された光コネクタには抗張力部材がかしめられ固定される部分が設けられており、特許文献２に開示された光コネクタにはテンションメンバの端部を固定するための部位が設けられている。
【先行技術文献】
【特許文献】
【０００３】
【特許文献１】特開２００２−３２８２６１号公報
【特許文献２】特開昭６２−２０９４０３号公報
【発明の概要】
【発明が解決しようとする課題】
【０００４】
上述したように、従来の光コネクタは、光ファイバケーブルのタイプ毎に異なる構造を有しており汎用性に乏しい。そのため、単価を引き下げるにも限界がある。また、現場にて実際に使用する光ファイバケーブルのタイプを決定するといった場合には、実際には使用されないタイプも含めて複数タイプの光コネクタを用意しなければならないといった問題もある。
【０００５】
そこで、本発明は、複数タイプの光ファイバケーブルに関して共通に使用可能な構造を有する光コネクタを提供することを目的とする。
【課題を解決するための手段】
【０００６】
本発明によれば、第１の光コネクタとして、
光ファイバとテンションメンバとを有するタイプの光ファイバケーブルにフェルールを固着した第１型光ファイバケーブルと、光ファイバと抗張力部材を有するタイプの光ファイバケーブルにフェルールを固着した第２型光ファイバケーブルとの両方のタイプの光ファイバケーブルに取り付け可能な光コネクタであって、
当該光コネクタが前記両方のタイプの前記光ファイバケーブルのいずれに取り付けられる場合においても前記フェルールが前記光コネクタの後端から前方に向けて挿入され、前記光コネクタが前記第２型光ファイバケーブルに取り付けられる場合に前記抗張力部材を当該かしめ部の外側に配した状態で前記抗張力部材をかしめるかしめ部と、
前記光コネクタが前記第１型光ファイバケーブルに取り付けられる場合に前記テンションメンバの端部が固定される部位である固定部であって、前記かしめ部よりも前方に設けられた固定部と
を有する光コネクタが得られる。
【０００７】
また、本発明によれば、第２の光コネクタとして、第１の光コネクタであって、
前記かしめ部には、前記固定部に対応するように形成されたニゲ溝が形成されており、
該ニゲ溝と前記固定部とは、後方から見た場合に、前記光ファイバケーブルの光軸を中心とした円座標系において同一径上に位置している
光コネクタが得られる。
【０００８】
また、本発明によれば、第３の光コネクタとして、第２の光コネクタであって、
前記光ファイバケーブルは、光ファイバと、前記光ファイバケーブルが当該光コネクタに取り付けられた際に該光ファイバの偏心方向の調整に用いられる複数のキー溝とを備えており、
前記光コネクタには、前記キー溝に合わせられる少なくとも一つの回転止めキーが設けられており、
前記固定部は、前記回転止めキーと前記キー溝との想定される嵌合関係に応じて選択可能となるように複数設けられており、
前記ニゲ溝も、前記固定部に対応するようにして複数設けられている
光コネクタが得られる。
【０００９】
また、本発明によれば、第４の光コネクタとして、第３の光コネクタであって、
前記キー溝の数は４つであり、
前記回転止めキーの数は２つであり、
当該２つの回転止めキーは、前記光コネクタにおいて、左右方向において対向するように設けられている
光コネクタが得られる。
【００１０】
また、本発明によれば、第５の光コネクタとして、第４の光コネクタであって、
前記ニゲ溝及び前記固定部も４つずつあり、
前記ニゲ溝は、上下方向において対向するものと左右方向において対向するものの２種類あり、
前記上下方向において対向する前記ニゲ溝は、前記光軸方向において前記かしめ部の全体に亘って延びている
光コネクタが得られる。
【００１１】
また、本発明によれば、第６の光コネクタとして、第１乃至第５の光コネクタのいずれかであって、
前記固定部には、前記テンションメンバの前記端部を受容する受容穴であって前記光ファイバケーブルの光軸方向に沿って延びる受容穴と、前記光軸方向と直交する方向において当該固定部の外部と前記受容穴とを連通するネジ孔とが形成されており、
前記テンションメンバの前記端部が前記受容穴に受容された状態において、前記ネジ孔に対してネジを螺合することにより前記テンションメンバの前記端部を前記受容穴内にネジ止め固定する
光コネクタが得られる。
【００１２】
また、本発明によれば、第７の光コネクタとして、第６の光コネクタであって、
前記受容穴及び前記ネジ孔は複数組設けられており、
前記ネジ孔は、互いに平行に延びている
光コネクタが得られる。
【００１３】
また、本発明によれば、第８の光コネクタとして、第６の光コネクタであって、
前記受容穴及び前記ネジ孔は複数組設けられており、
前記ネジ孔は、夫々、前記光ファイバケーブルの光軸を中心とした円座標系において径方向に延びている
光コネクタが得られる。
【００１４】
また、本発明によれば、第９の光コネクタとして、第１乃至第８の光コネクタのいずれかであって、
前記かしめ部は、後方から見た場合に、左右方向よりも上下方向に長い略長方形形状の外形を有している
光コネクタが得られる。
【００１５】
また、本発明によれば、第１０の光コネクタとして、第９の光コネクタであって、
前記かしめ部の上下面には、凹凸が設けられている
光コネクタが得られる。
【００１６】
また、本発明によれば、第１１の光コネクタとして、第１乃至第１０の光コネクタのいずれかであって、前記かしめ部と前記固定部とは一体形成されている
光コネクタが得られる。
【００１７】
更に、本発明によれば、第１乃至第１１の光コネクタのいずれかと、当該光コネクタに取り付けられた前記第１型光ファイバケーブル又は前記第２型光ファイバケーブルとを備える光コネクタケーブルが得られる。
【発明の効果】
【００１８】
本発明によれば、抗張力部材をかしめつける部位となるかしめ部とテンションメンバの端部を固定するための固定部とを光コネクタに設けたことから、抗張力部材を有するタイプの光ファイバケーブルにもテンションメンバを有するタイプの光ファイバケーブルにも対応できる。
【００１９】
しかも、固定部をかしめ部よりも光コネクタの前方（即ち、光コネクタの相手方との嵌合面側）に設けたことから、光ファイバケーブルを光コネクタに取り付ける際の作業性の向上を図ることができることに加え、光コネクタに光ファイバケーブルが取り付けられた状態において光ファイバケーブルが煽られたとしても光ファイバケーブルの光ファイバへの悪影響を低減することができる。
【図面の簡単な説明】
【００２０】
【図１】本発明の第１の実施の形態による光コネクタを示す斜視図である。
【図２】図１の光コネクタを示す背面図である。
【図３】図１の光コネクタを取り付け可能な光ファイバケーブルに含まれる光ファイバの先端部分を示す斜視図である。
【図４】図１の光コネクタに対してテンションメンバを有する第１型光ファイバケーブルを取り付ける一工程を示す斜視図である。
【図５】図４に続く取り付け工程を示す斜視図である。ここで、テンションメンバは、光コネクタの右側の固定部に固定されている。
【図６】図５に続く取り付け工程を示す斜視図である。
【図７】図６の取り付け工程によって組み立てられた光コネクタケーブルを示す斜視図である。
【図８】図５に対応する状態であってテンションメンバが上側の固定部に固定される状態を示す斜視図である。
【図９】図５に対応する状態であってテンションメンバが左側の固定部に固定される状態を示す斜視図である。
【図１０】図５に対応する状態であってテンションメンバが下側の固定部に固定される状態を示す斜視図である。
【図１１】図１の光コネクタに対して抗張力部材を有する第２型光ファイバケーブルを取り付ける一工程を示す斜視図である。
【図１２】図１１に続く取り付け工程を示す斜視図である。
【図１３】図１２に続く取り付け工程を示す斜視図である。
【図１４】本発明の第２の実施の形態による光コネクタを示す斜視図である。
【図１５】図１４の光コネクタを示す背面図である。
【図１６】図１４の光コネクタに対してテンションメンバを有する第１型光ファイバケーブルを取り付ける一工程を示す斜視図である。
【図１７】図１６に続く取り付け工程を示す斜視図である。ここで、テンションメンバは、光コネクタの右側の固定部に固定されている。
【図１８】図１７に続く取り付け工程を示す斜視図である。
【発明を実施するための形態】
【００２１】
以下、本発明の実施の形態による光コネクタと光ファイバケーブルとを備えた光コネクタケーブルについて図面を用いて詳細に説明する。
【００２２】
（第１の実施の形態）
本発明の第１の実施の形態による光コネクタ１００は、図１及び図２に示されるような構造を備えている。この構造のため、光コネクタ１００は、図４に示されるように、テンションメンバ２１０を有するタイプの光ファイバケーブルである第１型光ファイバケーブル２００に取り付けられることも可能であるし、また、図１１に示されるように、抗張力部材３１０を有するタイプの光ファイバケーブルである第２型光ファイバケーブル３００に取り付けられることも可能である。
【００２３】
いずれのタイプの光ファイバケーブルも図３に示されるように光ファイバ４００を備えており、その先端には、フェルール４１０が取り付けられている。フェルールの後端近傍には、９０度間隔で設けられた計４か所のキー溝４２０が形成されている。通常、光ファイバケーブルに含まれる光ファイバ４００はいずれかの方向に偏心していることから、良好な光接続を行うためには、光接続の相手方と偏心方向をできるだけ一致させる必要がある。そのため、具体的には、光ファイバ４００の偏心方向が光コネクタ１００の上側となるように、光ファイバケーブルに光コネクタ１００を取り付けることとしている。このように偏心方向の統一を図っておくことにより、光コネクタ１００同士を接続する際には、それらに保持されている光ファイバ４００同士の偏心方向をできるだけ一致させることができる。例えば、図１の光コネクタ１００にはアダプタや相手方コネクタとの接続時に光コネクタ１００の上部がどこであるかを示すと共に接続時のガイドとしても機能するコネクタキー１０２が光コネクタ１００の前端上部に形成されている。このため、光コネクタ１００と光ファイバケーブルとの接続時に光ファイバ４００の偏心方向を光コネクタ１００の上側に調整しておけば、コネクタキー１０２を上側に向けるようにして相手方コネクタ等に光コネクタ１００を接続するだけで、相手方コネクタ等に保持された光ファイバとの位置的関係の調整を容易に行うことができる。
【００２４】
キー溝４２０は、一旦決めた偏心方向を維持するためのものである。即ち、光ファイバ４００の偏心方向を光コネクタ１００の上側となるように調整した後に、フェルール４１０や光ファイバ４００自体が回転等してしまっては偏心方向の統一が図れなくなってしまうので、光コネクタ１００に設けられた回転止めキー（１４０：後述）をキー溝４２０に嵌め合わせることで、光ファイバ４００の回転を防止し、調整した偏心方向を維持することとしている。
【００２５】
図１及び図２に示されるように、光コネクタ１００は、光ファイバ４００に取り付けられたフェルール４１０を収容する収容部１１０と、第２型光ファイバケーブル３００に取り付けられる場合に抗張力部材３１０固定用に用いられるかしめ部１２０と、第１型光ファイバケーブル２００に取り付けられる場合にテンションメンバ２１０の端部が固定される部位である固定部１３０と、収容部１１０内に形成された回転止めキー１４０とを備えている。
【００２６】
本実施の形態による収容部１１０は、かしめ部１２０の後端から前方に向かって光コネクタ１００内を貫通するように延びており、かしめ部１２０の後端から挿入された光ファイバ４００の先端部分、即ちフェルール４１０を取り付けられた部分を収容するものである。このことから理解されるように、本実施の形態による光ファイバ４００の光軸方向と光コネクタ１００の前後方向（Ｘ方向）とは一致しており、収容部１１０は、光ファイバ４００の光軸方向（即ち、光コネクタ１００の前後方向）に沿って延びている。
【００２７】
かしめ部１２０は、光コネクタ１００の後方から見た場合に、左右方向（Ｙ方向）よりも上下方向（Ｚ方向）に長い略長方形形状の外形を有している。かしめ部１２０をこのような形状としたのは、抗張力部材３１０をかしめる際にかしめリング３５０（図１２参照）が上下方向から加圧されること及びその加圧によりかしめリング３５０が左右方向に膨らむように変形することを考慮したためである。かかる形状のため、かしめリング３５０が左右方向に膨らむように変形したとしても、外郭（５２０：後述）内に適切に収容することができる。
【００２８】
本実施の形態によるかしめ部１２０の上部及び下部には夫々ニゲ溝１２２が形成されており、左右側部には夫々ニゲ溝１２４が形成されている。また、かしめ部１２０の上下面には、抗張力部材３１０のかしめを確実なものとするための凹凸１２６が形成されている。
【００２９】
ニゲ溝１２２，１２４は、後述するように、テンションメンバ２１０を固定部１３０に固定する際に、テンションメンバ２１０にかかるストレスを極力小さくするためのものである。ニゲ溝１２２は上下方向において対向するように形成されており、ニゲ溝１２４は左右方向において対向するように設けられている。そのため、ニゲ溝１２２，１２４は、光コネクタ１００を後端側から見た場合に、９０度間隔で設けられている。本実施の形態においては、上下方向において対向するニゲ溝１２２は、Ｘ方向において、かしめ部１２０の全体に亘って延びているが、左右方向において対向するニゲ溝１２４は、かしめ部１２０の途中まで延びるにとどまっている。テンションメンバ２１０にかかるストレスの低減のためだけであればニゲ溝１２４の大きさで十分なのであるが、光ファイバ４００の偏心方向を確認しつつ光ファイバケーブル先端に光コネクタ１００を取り付け可能とするため、ニゲ溝１２２はニゲ溝１２４よりも長くして、かしめ部１２０の全体に亘って延びるようにしてある。これにより、例えば、光ファイバ４００の偏心方向を確認したのち、偏心方向に最も近いキー溝４２０にマーキングをし、その後、ニゲ溝１２２を通じてマーキングされたキー溝４２０を目視しながら光ファイバ４００を光コネクタ１００に挿入することとすると、光ファイバ４００の偏心方向を光コネクタ１００の上側にあわせる作業が比較的楽に行えることとなる。なお、ニゲ溝１２４をニゲ溝１２２と同様に長くすることとしても良いが、かしめ部１２０の強度を確保するという観点からは、本実施の形態のように、ニゲ溝１２４の長さを最小限にするのが好ましい。
【００３０】
本実施の形態による光コネクタ１００において固定部１３０は、かしめ部１２０よりも前方に位置している。このため、光ファイバケーブルを光コネクタ１００に取り付ける際の作業性の向上を図ることができることに加え、光コネクタ１００に光ファイバケーブルが取り付けられた状態において光ファイバケーブルが煽られたとしても光ファイバ４００へ加わるストレス等の悪影響を低減することができる。
【００３１】
本実施の形態による固定部１３０には、テンションメンバ２１０の端部を受容するための受容穴１３２と、光軸方向（Ｘ方向）と直交する方向において固定部１３０の外部と受容穴１３２とを連通するネジ孔１３４とが形成されている。受容穴１３２は、光コネクタ１００を後端側から見た場合に、９０度間隔で計４か所に形成されている。従って、図示された第１型光ファイバケーブル２００のようにテンションメンバ２１０が一本のものは勿論のこと、複数本のテンションメンバを有するタイプの光ファイバケーブルであっても光ファイバに不要な捩り等を加えることなくテンションメンバの固定を行うことができる。また、各受容穴１３２は、光軸を中心とした円座標系においてニゲ溝１２２，１２４のいずれかと同一径上に位置している。このため、いずれかの受容穴１３２にテンションメンバ２１０の端部を挿入した際には、テンションメンバ２１０はいずれかのニゲ溝１２２，１２４内に位置させることができることとなっており、従って、かしめ部１２０が設けられていてもテンションメンバ２１０に不要なストレスが加わることを防ぐことができる。逆に、テンションメンバ２１０がいずれかのニゲ溝１２２，１２４内に配置されることにより、テンションメンバ２１０の動きがニゲ溝１２２，１２４により制限されることとなっているため、光ファイバケーブルの煽りに対してより強い構造となっている。
【００３２】
ネジ孔１３４は、受容穴１３２に受容されたテンションメンバ２１０の端部をネジ止めするためのものである。即ち、テンションメンバ２１０の端部が受容穴１３２に受容された状態において、ネジ孔１３４に対してネジを螺合することによりテンションメンバ２１０の端部を受容穴１３２内にネジ止め固定することができる。ここで、図示されたネジ孔１３４は、いずれも上下方向（Ｚ方向）に延びており、上から見た場合も下から見た場合も３か所あることになっている。このようにネジ孔１３４を配置にしたことにより、ネジ止めの際の作業性を向上させることができる。
【００３３】
上述した構造を有する光コネクタ１００に第１型光ファイバケーブル２００を取り付けるには、図４乃至図７に示されるようにして行われる。まず、図４及び図５から理解されるように、Ｘ方向の中ほどの周囲に保持リング５１０を取り付けた光コネクタ１００の収容部１１０内にかしめ部１２０の後端から第１型光ファイバケーブル２００のフェルール４１０を挿入して収容すると共にテンションメンバ２１０の端部を固定部１３０の受容穴１３２内に挿入する。更に、受容穴１３２内に収容されたテンションメンバ２１０の端部はネジ孔１３４にネジを螺合することにより固定される。この例においては、テンションメンバ２１０は光コネクタ１００の後端から見た場合に右側に位置するニゲ溝１２４内を通るように配されており、その端部は同じく右側に位置する受容穴１３２に受容されている。その後、図６に示されるように、第１型光ファイバケーブル２００の外側を沿わせるようにして、外郭５２０を光コネクタ１００側に移動させ、外郭５２０と保持リング５１０とを接続して、図７に示されるような光コネクタケーブルを得る。この例においては、テンションメンバ２１０を右側の固定部１３０に固定する場合について説明したが、光ファイバ４００の偏心方向に応じて他の固定部１３０に固定することとしてもよい。例えば、図８に示されるように上側の固定部１３０に固定してもよいし、図９に示されるように左側の固定部１３０に固定してもよいし、図１０に示されるように下側の固定部１３０に固定することとしてもよい。このため、光ファイバ４００に不要な捩り等を加えることなく、偏心方向の調整維持とテンションメンバ２１０の固定を両立させることができる。また、図６及び図８乃至図１０の各図に示されるように、テンションメンバ２１０は、各固定部１３０に対応するニゲ溝１２２又は１２４を通るように配されていることから、かしめ部１２０の存在によって、テンションメンバ２１０を固定部１３０に無理に固定するような状態が生じることがない。
【００３４】
更に、同構造を有する光コネクタ１００は、図１１乃至図１３に示されるように、第２型光ファイバケーブル３００に対しても取り付けることができる。図１１及び図１２から理解されるように、保持リング５１０を取り付けた光コネクタ１００の収容部１１０内に第２型光ファイバケーブル３００のフェルール４１０を挿入し、抗張力部材３１０をかしめ部１２０の凹凸１２６の上に配し、かしめリング３５０を前方に移動させて、凹凸１２６とかしめリング３５０との間に抗張力部材３１０を位置させた状態でかしめリング３５０の上下からかしめリング３５０をかしめることにより、抗張力部材３１０のかしめ部１２０への固定を行う。この際、かしめリング３５０の端部を固定部１３０の端面に突き当てることにより、かしめリング３５０の位置合わせを行うことができる。次いで、図１３に示されるように、第２型光ファイバケーブル３００の外側を沿わせるようにして、外郭５２０を光コネクタ１００側に移動させ、外郭５２０と保持リング５１０とを接続して、図７に示されるような光コネクタケーブルを得る。このように、本実施の形態による光コネクタ１００は、テンションメンバ２１０を有する第１型光ファイバケーブル２００に取り付けられることもできるし、また抗張力部材３１０を有する第２型光ファイバケーブル３００に取り付けられることもできる。
【００３５】
（第２の実施の形態）
図１４及び図１５に示されるように、本発明の第２の実施の形態による光コネクタ１００ａは、上述した第１の実施の形態による光コネクタ１００の変形例であり、かしめ部１２０ａ及び固定部１３０ａの構造を除き、第１の実施の形態による光コネクタ１００と同様の構成を備えている。従って、以下においては、第１の実施の形態による光コネクタ１００との差異のみについて説明する。
【００３６】
図１４及び図１５を参照すると、本実施の形態による光コネクタ１００ａの固定部１３０ａには、８組の受容穴１３６及びネジ孔１３８が形成されており、それに伴って、かしめ部１２０ａには、ニゲ溝１２２，１２４のみならずガイド溝１２８が形成されている。
【００３７】
詳しくは、受容穴１３６は、光コネクタ１００ａを後方から見た場合に、４５度間隔で設けられている。いずれの受容穴１３６も前後方向（Ｘ方向）に沿って延びている。これに対して、ネジ孔１３８の夫々は、光コネクタ１００ａを後方から見た場合に、光軸を中心とした円座標系において径方向に延びている。なお、各ネジ孔１３８が固定部１３０ａの外部と受容穴１３６とを連通していることは第１の実施の形態と同様である。
【００３８】
ガイド溝１２８は、左右上下の斜め４５度に位置する受容穴１３６に対応するものであり、前後方向に沿って延びるようにかしめ部１２０ａに形成されている。
【００３９】
本実施の形態による光コネクタ１００ａにおいては、ネジ孔１３８が径方向に延びていることから、光コネクタ１００ａを光軸の周りに廻しながらテンションメンバの端部をネジ止め固定することができる。従って、本実施の形態による光コネクタ１００ａによれば、良好な作業性を得ることができる。
【００４０】
上述した構造を有する光コネクタ１００ａに第１型光ファイバケーブル２００を取り付けるには、図１６乃至図１８に示されるようにして行われる。まず、図１６及び図１７から理解されるように、保持リング５１０を取り付けた光コネクタ１００ａの収容部１１０内にかしめ部１２０ａの後端から第１型光ファイバケーブル２００のフェルール４１０を挿入して収容すると共にテンションメンバ２１０の端部を固定部１３０ａの受容穴１３６内に挿入する。更に、受容穴１３６内に収容されたテンションメンバ２１０の端部はネジ孔１３８にネジを螺合することにより固定される。図示された例においては、右側の受容穴１３６にテンションメンバ２１０の端部を受容・固定することとしているが、光ファイバ４００の偏心方向によって他の受容穴１３６にテンションメンバ２１０の端部を受容・固定することとしてもよい。その後、図１８に示されるように、第１型光ファイバケーブル２００の外側を沿わせるようにして、外郭５２０を光コネクタ１００ａ側に移動させ、外郭５２０と保持リング５１０とを接続して光コネクタケーブル（図７参照）を得る。かかる構造を有する光コネクタ１００ａは、第１の実施の形態の光コネクタ１００と同様に、第２型光ファイバケーブル３００に対しても取り付けることができる。
【００４１】
本実施の形態においては、かしめ部１２０と固定部１３０とは一体形成した場合にて説明したが、かしめ部１２０と固定部１３０とをそれぞれ別体で形成して、圧入等により互いを固着するようにしてもよい。
【００４２】
以上説明したように、本発明による光コネクタは、様々な種類の光ファイバケーブルに対して、取り付けることができる。
【符号の説明】
【００４３】
１００，１００ａ        光コネクタ
１０２        コネクタキー
１１０        収容部
１２０        かしめ部
１２２        ニゲ溝
１２４        ニゲ溝
１２６        凹凸
１２８        ガイド溝
１３０，１３０ａ        固定部
１３２        受容穴
１３４        ネジ孔
１３６        受容穴
１３８        ネジ孔
１４０        回転止めキー
２００        第１型光ファイバケーブル
２１０        テンションメンバ
３００        第２型光ファイバケーブル
３１０        抗張力部材
３５０        かしめリング
４００        光ファイバ
４１０        フェルール
４２０        キー溝
５１０        保持リング
５２０        外郭
【図１】
2011075912.tif 000003
【図２】
2011075912.tif 000004
【図３】
2011075912.tif 000005
【図４】
2011075912.tif 000006
【図５】
2011075912.tif 000007
【図６】
2011075912.tif 000008
【図７】
2011075912.tif 000009
【図８】
2011075912.tif 000010
【図９】
2011075912.tif 000011
【図１０】
2011075912.tif 000012
【図１１】
2011075912.tif 000013
【図１２】
2011075912.tif 000014
【図１３】
2011075912.tif 000015
【図１４】
2011075912.tif 000016
【図１５】
2011075912.tif 000017
【図１６】
2011075912.tif 000018
【図１７】
2011075912.tif 000019
【図１８】
2011075912.tif 000020